【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
検査対象の画像の一部の領域を表示装置に表示し、その表示領域を画像内で移動させながら当該画像の検査を行う作業を支援するための画像検査支援方法であって、
コンピュータが、表示領域の自由な移動を認める第１の動作モードと、表示領域の移動に制限を付ける第２の動作モードとを含む複数の動作モードの中から、動作モードを決定する動作モード決定工程と、
コンピュータが、ユーザーにより入力された表示領域の移動指示を取得する移動指示取得工程と、
コンピュータが、現在の動作モードと前記移動指示取得工程で取得した移動指示とに基づいて表示領域を移動させる表示領域決定工程と、
コンピュータが、前記移動した表示領域に対応する部分の画像を表示装置に表示させる表示工程と、
コンピュータが、ユーザーにより入力された表示倍率の変更指示に基づいて表示装置に表示する画像の倍率を変更する工程と、を含んでおり、
前記表示領域決定工程は、
現在の動作モードが第２の動作モードである場合に、ユーザーにより入力された前記移動指示が予め設定された非制限範囲内での移動を指示するものか否かを判定する工程と、
前記移動指示が前記非制限範囲内での移動を指示するものでない場合に、表示領域の移動を制限する工程と、を含み、
前記動作モード決定工程は、前記表示倍率に応じて動作モードを切り替える
ことを特徴とする画像検査支援方法。
【請求項２】
前記表示領域決定工程において、前記移動指示が前記非制限範囲内での移動を指示するものでない場合に、表示領域の移動において、移動方向、移動量、及び移動速度のうち少なくともいずれかを制限する
ことを特徴とする請求項１に記載の画像検査支援方法。
【請求項３】
前記表示領域決定工程において、前記移動指示が前記非制限範囲内での移動を指示するものである場合に、前記移動指示のとおりに移動後の表示領域の位置を設定し、それ以外の場合に、表示領域を移動させないか、又は、前記非制限範囲内に移動後の表示領域の位
置を設定する
ことを特徴とする請求項１又は請求項２に記載の画像検査支援方法。
【請求項４】
検査対象の画像の一部の領域を表示装置に表示し、その表示領域を画像内で移動させながら当該画像の検査を行う作業を支援するための画像検査支援方法であって、
コンピュータが、表示領域の自由な移動を認める第１の動作モードと、表示領域の移動に制限を付ける第２の動作モードとを含む複数の動作モードの中から、動作モードを決定する動作モード決定工程と、
コンピュータが、ユーザーにより入力された表示領域の移動指示を取得する移動指示取得工程と、
コンピュータが、現在の動作モードと前記移動指示取得工程で取得した移動指示とに基づいて表示領域を移動させる表示領域決定工程と、
コンピュータが、前記移動した表示領域に対応する部分の画像を表示装置に表示させる表示工程と、を含んでおり、
前記表示領域決定工程は、
現在の動作モードが第２の動作モードである場合に、ユーザーにより入力された前記移動指示が予め設定された非制限範囲内での移動を指示するものか否かを判定する工程と、
前記移動指示が前記非制限範囲内での移動を指示するものである場合に、表示領域の移動速度を標準の移動速度に設定する工程と、
前記移動指示が前記非制限範囲内での移動を指示するものでない場合に、表示領域の移動速度を前記標準の移動速度よりも低い移動速度に設定する工程と、を含む
ことを特徴とする画像検査支援方法。
【請求項５】
前記動作モード決定工程は、ユーザーにより入力された動作モードの変更指示にしたがって動作モードを決定する
ことを特徴とする請求項１乃至請求項４のうちいずれか１項に記載の画像検査支援方法。
【請求項６】
前記動作モード決定工程は、前記表示倍率が所定の閾値以下であった場合に、動作モードを第２の動作モードに設定し、それ以外の場合に、動作モードを第１の動作モードに設定する
ことを特徴とする請求項１に記載の画像検査支援方法。
【請求項７】
検査対象の画像の一部の領域を表示装置に表示し、その表示領域を画像内で移動させながら当該画像の検査を行う作業を支援するための画像検査支援方法であって、
コンピュータが、表示領域の自由な移動を認める第１の動作モードと、表示領域の移動に制限を付ける第２の動作モードとを含む複数の動作モードの中から、動作モードを決定する動作モード決定工程と、
コンピュータが、ユーザーにより入力された表示領域の移動指示を取得する移動指示取得工程と、
コンピュータが、現在の動作モードと前記移動指示取得工程で取得した移動指示とに基づいて表示領域を移動させる表示領域決定工程と、
コンピュータが、前記移動した表示領域に対応する部分の画像を表示装置に表示させる表示工程と、
コンピュータが前記表示工程において表示した画像内の領域を表示済み領域として記憶装置に記憶する工程と、を含んでおり、
前記表示領域決定工程は、
現在の動作モードが第２の動作モードである場合に、ユーザーにより入力された前記移動指示が予め設定された非制限範囲内での移動を指示するものか否かを判定する工程と、
前記移動指示が前記非制限範囲内での移動を指示するものでない場合に、表示領域の移動を制限する工程と、を含み
前記動作モード決定工程は、前記移動指示に基づき移動させた場合の表示領域の位置が前記表示済み領域に含まれていない場合に、動作モードを第２の動作モードに設定し、それ以外の場合に、動作モードを第１の動作モードに設定する
ことを特徴とする画像検査支援方法。
【請求項８】
コンピュータが、検査対象の画像に対し、その画像よりも小さいサイズの動作範囲を設定する工程を更に含み、
現在の動作モードが第２の動作モードである場合に、前記表示領域決定工程は、表示領域が移動する範囲を前記動作範囲の中に限定する
ことを特徴とする請求項１乃至請求項７のうちいずれか１項に記載の画像検査支援方法。
【請求項９】
前記非制限範囲は、検査対象の画像の全体を順に走査するように設定された、表示領域の移動経路である
ことを特徴とする請求項１乃至請求項８のうちいずれか１項に記載の画像検査支援方法。
【請求項１０】
検査対象の画像の一部の領域を表示装置に表示し、その表示領域を画像内で移動させながら当該画像の検査を行う作業を支援するための画像検査支援装置であって、
表示領域の自由な移動を認める第１の動作モードと、表示領域の移動に制限を付ける第２の動作モードとを含む複数の動作モードの中から、動作モードを決定する動作モード決定手段と、
ユーザーにより入力された表示領域の移動指示を取得する移動指示取得手段と、
現在の動作モードと前記移動指示取得手段で取得した移動指示とに基づいて表示領域を移動させる表示領域決定手段と、
前記移動した表示領域に対応する部分の画像を表示装置に表示させる表示制御手段と、
ユーザーにより入力された表示倍率の変更指示に基づいて表示装置に表示する画像の倍率を変更する手段と、を有しており、
前記表示領域決定手段は、
現在の動作モードが第２の動作モードである場合に、ユーザーにより入力された前記移動指示が予め設定された非制限範囲内での移動を指示するものか否かを判定し、
前記移動指示が前記非制限範囲内での移動を指示するものでない場合に、表示領域の移動を制限し、
前記動作モード決定手段は、前記表示倍率に応じて動作モードを切り替える
ことを特徴とする画像検査支援装置。
【請求項１１】
検査対象の画像の一部の領域を表示装置に表示し、その表示領域を画像内で移動させながら当該画像の検査を行う作業を支援するための画像検査支援装置であって、
表示領域の自由な移動を認める第１の動作モードと、表示領域の移動に制限を付ける第２の動作モードとを含む複数の動作モードの中から、動作モードを決定する動作モード決定手段と、
ユーザーにより入力された表示領域の移動指示を取得する移動指示取得手段と、
現在の動作モードと前記移動指示取得手段で取得した移動指示とに基づいて表示領域を移動させる表示領域決定手段と、
前記移動した表示領域に対応する部分の画像を表示装置に表示させる表示制御手段と、を有しており、
前記表示領域決定手段は、
現在の動作モードが第２の動作モードである場合に、ユーザーにより入力された前記移動指示が予め設定された非制限範囲内での移動を指示するものか否かを判定し、
前記移動指示が前記非制限範囲内での移動を指示するものである場合に、表示領域の
移動速度を標準の移動速度に設定し、
前記移動指示が前記非制限範囲内での移動を指示するものでない場合に、表示領域の移動速度を前記標準の移動速度よりも低い移動速度に設定する
ことを特徴とする画像検査支援装置。
【請求項１２】
検査対象の画像の一部の領域を表示装置に表示し、その表示領域を画像内で移動させながら当該画像の検査を行う作業を支援するための画像検査支援装置であって、
表示領域の自由な移動を認める第１の動作モードと、表示領域の移動に制限を付ける第２の動作モードとを含む複数の動作モードの中から、動作モードを決定する動作モード決定手段と、
ユーザーにより入力された表示領域の移動指示を取得する移動指示取得手段と、
現在の動作モードと前記移動指示取得手段で取得した移動指示とに基づいて表示領域を移動させる表示領域決定手段と、
前記移動した表示領域に対応する部分の画像を表示装置に表示させる表示制御手段と、
前記表示制御手段で表示した画像内の領域を表示済み領域として記憶する記憶手段と、を有しており、
前記表示領域決定手段は、
現在の動作モードが第２の動作モードである場合に、ユーザーにより入力された前記移動指示が予め設定された非制限範囲内での移動を指示するものか否かを判定し、
前記移動指示が前記非制限範囲内での移動を指示するものでない場合に、表示領域の移動を制限し、
前記動作モード決定手段は、前記移動指示に基づき移動させた場合の表示領域の位置が前記表示済み領域に含まれていない場合に、動作モードを第２の動作モードに設定し、それ以外の場合に、動作モードを第１の動作モードに設定する
ことを特徴とする画像検査支援装置。
【請求項１３】
請求項１乃至請求項９のうちいずれか１項に記載の画像検査支援方法の各工程をコンピュータに実行させることを特徴とするプログラム。
【手続補正２】
【補正対象書類名】明細書
【補正対象項目名】０００７
【補正方法】変更
【補正の内容】
【０００７】
本発明に係る画像検査支援方法は、検査対象の画像の一部の領域を表示装置に表示し、その表示領域を画像内で移動させながら当該画像の検査を行う作業を支援するための画像検査支援方法であって、コンピュータが、表示領域の自由な移動を認める第１の動作モードと、表示領域の移動に制限を付ける第２の動作モードとを含む複数の動作モードの中から、動作モードを決定する動作モード決定工程と、コンピュータが、ユーザーにより入力された表示領域の移動指示を取得する移動指示取得工程と、コンピュータが、現在の動作モードと前記移動指示取得工程で取得した移動指示とに基づいて表示領域を移動させる表示領域決定工程と、コンピュータが、前記移動した表示領域に対応する部分の画像を表示装置に表示させる表示工程と、コンピュータが、ユーザーにより入力された表示倍率の変更指示に基づいて表示装置に表示する画像の倍率を変更する工程と、を含んでおり、前記表示領域決定工程は、現在の動作モードが第２の動作モードである場合に、ユーザーにより入力された前記移動指示が予め設定された非制限範囲内での移動を指示するものか否かを判定する工程と、前記移動指示が前記非制限範囲内での移動を指示するものでない場合に、表示領域の移動を制限する工程と、を含み、前記動作モード決定工程は、前記表示倍
率に応じて動作モードを切り替える画像検査支援方法である。
【手続補正３】
【補正対象書類名】明細書
【補正対象項目名】０００８
【補正方法】変更
【補正の内容】
【０００８】
本発明に係る画像検査支援方法は、検査対象の画像の一部の領域を表示装置に表示し、その表示領域を画像内で移動させながら当該画像の検査を行う作業を支援するための画像検査支援方法であって、コンピュータが、表示領域の自由な移動を認める第１の動作モードと、表示領域の移動に制限を付ける第２の動作モードとを含む複数の動作モードの中から、動作モードを決定する動作モード決定工程と、コンピュータが、ユーザーにより入力された表示領域の移動指示を取得する移動指示取得工程と、コンピュータが、現在の動作モードと前記移動指示取得工程で取得した移動指示とに基づいて表示領域を移動させる表示領域決定工程と、コンピュータが、前記移動した表示領域に対応する部分の画像を表示装置に表示させる表示工程と、を含んでおり、前記表示領域決定工程は、現在の動作モードが第２の動作モードである場合に、ユーザーにより入力された前記移動指示が予め設定された非制限範囲内での移動を指示するものか否かを判定する工程と、前記移動指示が前記非制限範囲内での移動を指示するものである場合に、表示領域の移動速度を標準の移動速度に設定する工程と、前記移動指示が前記非制限範囲内での移動を指示するものでない場合に、表示領域の移動速度を前記標準の移動速度よりも低い移動速度に設定する工程と、を含む画像検査支援方法である。
本発明に係る画像検査支援方法は、検査対象の画像の一部の領域を表示装置に表示し、その表示領域を画像内で移動させながら当該画像の検査を行う作業を支援するための画像検査支援方法であって、コンピュータが、表示領域の自由な移動を認める第１の動作モードと、表示領域の移動に制限を付ける第２の動作モードとを含む複数の動作モードの中から、動作モードを決定する動作モード決定工程と、コンピュータが、ユーザーにより入力された表示領域の移動指示を取得する移動指示取得工程と、コンピュータが、現在の動作モードと前記移動指示取得工程で取得した移動指示とに基づいて表示領域を移動させる表示領域決定工程と、コンピュータが、前記移動した表示領域に対応する部分の画像を表示装置に表示させる表示工程と、コンピュータが前記表示工程において表示した画像内の領域を表示済み領域として記憶装置に記憶する工程と、を含んでおり、前記表示領域決定工程は、現在の動作モードが第２の動作モードである場合に、ユーザーにより入力された前記移動指示が予め設定された非制限範囲内での移動を指示するものか否かを判定する工程と、前記移動指示が前記非制限範囲内での移動を指示するものでない場合に、表示領域の移動を制限する工程と、を含み、前記動作モード決定工程は、前記移動指示に基づき移動させた場合の表示領域の位置が前記表示済み領域に含まれていない場合に、動作モードを第２の動作モードに設定し、それ以外の場合に、動作モードを第１の動作モードに設定する画像検査支援方法である。
【手続補正４】
【補正対象書類名】明細書
【補正対象項目名】０００９
【補正方法】変更
【補正の内容】
【０００９】
本発明に係る画像検査支援装置は、検査対象の画像の一部の領域を表示装置に表示し、
その表示領域を画像内で移動させながら当該画像の検査を行う作業を支援するための画像検査支援装置であって、表示領域の自由な移動を認める第１の動作モードと、表示領域の移動に制限を付ける第２の動作モードとを含む複数の動作モードの中から、動作モードを決定する動作モード決定手段と、ユーザーにより入力された表示領域の移動指示を取得する移動指示取得手段と、現在の動作モードと前記移動指示取得手段で取得した移動指示とに基づいて表示領域を移動させる表示領域決定手段と、前記移動した表示領域に対応する部分の画像を表示装置に表示させる表示制御手段と、ユーザーにより入力された表示倍率の変更指示に基づいて表示装置に表示する画像の倍率を変更する手段と、を有しており、前記表示領域決定手段は、現在の動作モードが第２の動作モードである場合に、ユーザーにより入力された前記移動指示が予め設定された非制限範囲内での移動を指示するものか否かを判定し、前記移動指示が前記非制限範囲内での移動を指示するものでない場合に、表示領域の移動を制限し、前記動作モード決定手段は、前記表示倍率に応じて動作モードを切り替える画像検査支援装置である。
【手続補正５】
【補正対象書類名】明細書
【補正対象項目名】００１０
【補正方法】変更
【補正の内容】
【００１０】
本発明に係る画像検査支援装置は、検査対象の画像の一部の領域を表示装置に表示し、その表示領域を画像内で移動させながら当該画像の検査を行う作業を支援するための画像検査支援装置であって、表示領域の自由な移動を認める第１の動作モードと、表示領域の移動に制限を付ける第２の動作モードとを含む複数の動作モードの中から、動作モードを決定する動作モード決定手段と、ユーザーにより入力された表示領域の移動指示を取得する移動指示取得手段と、現在の動作モードと前記移動指示取得手段で取得した移動指示とに基づいて表示領域を移動させる表示領域決定手段と、前記移動した表示領域に対応する部分の画像を表示装置に表示させる表示制御手段と、を有しており、前記表示領域決定手段は、現在の動作モードが第２の動作モードである場合に、ユーザーにより入力された前記移動指示が予め設定された非制限範囲内での移動を指示するものか否かを判定し、前記移動指示が前記非制限範囲内での移動を指示するものである場合に、表示領域の移動速度を標準の移動速度に設定し、前記移動指示が前記非制限範囲内での移動を指示するものでない場合に、表示領域の移動速度を前記標準の移動速度よりも低い移動速度に設定する画像検査支援装置である。
本発明に係る画像検査支援装置は、検査対象の画像の一部の領域を表示装置に表示し、その表示領域を画像内で移動させながら当該画像の検査を行う作業を支援するための画像検査支援装置であって、表示領域の自由な移動を認める第１の動作モードと、表示領域の移動に制限を付ける第２の動作モードとを含む複数の動作モードの中から、動作モードを決定する動作モード決定手段と、ユーザーにより入力された表示領域の移動指示を取得する移動指示取得手段と、現在の動作モードと前記移動指示取得手段で取得した移動指示とに基づいて表示領域を移動させる表示領域決定手段と、前記移動した表示領域に対応する部分の画像を表示装置に表示させる表示制御手段と、前記表示制御手段で表示した画像内の領域を表示済み領域として記憶する記憶手段と、を有しており、前記表示領域決定手段は、現在の動作モードが第２の動作モードである場合に、ユーザーにより入力された前記移動指示が予め設定された非制限範囲内での移動を指示するものか否かを判定し、前記移動指示が前記非制限範囲内での移動を指示するものでない場合に、表示領域の移動を制限し、前記動作モード決定手段は、前記移動指示に基づき移動させた場合の表示領域の位置が前記表示済み領域に含まれていない場合に、動作モードを第２の動作モードに設定し、それ以外の場合に、動作モードを第１の動作モードに設定する画像検査支援装置である。